(57)【要約】【課題】タイプが変更となる場合でも、部品の変更を極力少なくできて、タイプの変更に早期に対応することを可能とする。【解決手段】スイッチ装置２Ｂは、スイッチボデー１と、操作ノブ５と、この操作ノブ５の操作に基づき操作されるスイッチ要素と、操作ノブ５とスイッチボデー１との間に設けられる中間部材と、を備える。中間部材には、操作ノブ５の揺動操作を規制する揺動操作規制用ストッパを有しかつ操作ノブ５の押込み操作を許容するプッシュ用中間部材２２と、操作ノブ５の押込み操作を規制する押込み操作規制用ストッパを有しかつ操作ノブの揺動操作を許容するシーソー用中間部材があり、プッシュ用中間部材２２とシーソー用中間部材を、用途に応じて使い分けが可能な構成とした。【選択図】図５
2015115269.tif 000002
【特許請求の範囲】
【請求項１】
スイッチボデーと、
操作ノブと、
この操作ノブの操作に基づき操作されるスイッチ要素と、
前記操作ノブと前記スイッチボデーとの間に設けられる中間部材と、を備え、
前記中間部材には、
前記操作ノブの揺動操作を規制する揺動操作規制用ストッパを有しかつ前記操作ノブの押込み操作を許容するプッシュ用中間部材と、
前記操作ノブの押込み操作を規制する押込み操作規制用ストッパを有しかつ前記操作ノブの揺動操作を許容するシーソー用中間部材があり、
前記プッシュ用中間部材と前記シーソー用中間部材を、用途に応じて使い分けが可能な構成としたことを特徴とするスイッチ装置。
【請求項２】
前記中間部材には、さらに、前記操作ノブの揺動操作を規制する揺動操作規制用ストッパと前記操作ノブの押込み操作を規制する押込み操作規制用ストッパを有するダミー用中間部材があり、
用途に応じてこのダミー用中間部材の使用も可能であることを特徴とする請求項１記載のスイッチ装置。
【発明の詳細な説明】
【技術分野】
【０００１】
本発明は、操作ノブの操作に基づきスイッチ要素を操作するスイッチ装置に関する。
【背景技術】
【０００２】
従来、例えば操作ノブを押込み操作するプッシュタイプのスイッチ装置と、操作ノブを揺動操作するシーソータイプのスイッチ装置では、それぞれ専用の操作ノブとスイッチボデーを製作していた。このため、例えばプッシュタイプからシーソータイプに変更する場合、あるいは、シーソータイプからプッシュタイプに変更する場合、少なくとも操作ノブとスイッチボデーの構造を変更する必要がある。それら操作ノブとスイッチボデーの構造を変更するには、成形型から製作する必要があり、変更する部品の製作や調整に多くの手間と時間がかかるという課題がある。
【先行技術文献】
【特許文献】
【０００３】
【特許文献１】特開２００４−１７９０４７号公報
【発明の概要】
【発明が解決しようとする課題】
【０００４】
そこで、本発明は、タイプが変更となる場合でも、部品の変更を極力少なくできて、タイプの変更に早期に対応することが可能となるスイッチ装置を提供することを目的とする。
【課題を解決するための手段】
【０００５】
上記した目的を達成するために、本発明のスイッチ装置は、スイッチボデーと、操作ノブと、この操作ノブの操作に基づき操作されるスイッチ要素と、前記操作ノブと前記スイッチボデーとの間に設けられる中間部材と、を備え、前記中間部材には、前記操作ノブの揺動操作を規制する揺動操作規制用ストッパを有しかつ前記操作ノブの押込み操作を許容するプッシュ用中間部材と、前記操作ノブの押込み操作を規制する押込み操作規制用ストッパを有しかつ前記操作ノブの揺動操作を許容するシーソー用中間部材があり、前記プッシュ用中間部材と前記シーソー用中間部材を、用途に応じて使い分けが可能な構成としたことを特徴とする。
【発明の効果】
【０００６】
プッシュタイプのスイッチ装置に対応する場合には、プッシュ用中間部材を使用することで対応できる。また、シーソータイプのスイッチ装置に対応する場合には、シーソー用中間部材を使用することで対応できる。したがって、プッシュタイプとシーソータイプとの間で変更する場合には、使用する中間部材を変更することで対応できるので、部品の変更を極力少なくできて、タイプの変更に早期に対応することが可能となる。
【図面の簡単な説明】
【０００７】
【図１】本発明の一実施形態によるスイッチ装置の外観斜視図
【図２】プッシュ・シーソータイプのスイッチ装置における分解斜視図
【図３】プッシュ・シーソータイプのスイッチ装置における正面図
【図４】（ａ）は図３のＡ１−Ａ１線に沿う断面図、（ｂ）は図３のＢ１−Ｂ１線に沿う断面図、（ｃ）は図３のＣ１−Ｃ１線に沿う断面図
【図５】プッシュタイプのスイッチ装置における図２相当図
【図６】プッシュタイプのスイッチ装置における図３相当図
【図７】（ａ）は図６のＡ２−Ａ２線に沿う断面図、（ｂ）は図６のＢ２−Ｂ２線に沿う断面図、（ｃ）は図６のＣ２−Ｃ２線に沿う断面図
【図８】シーソータイプのスイッチ装置における図２相当図
【図９】シーソータイプのスイッチ装置における図３相当図
【図１０】（ａ）は図９のＡ３−Ａ３線に沿う断面図、（ｂ）は図９のＢ３−Ｂ３線に沿う断面図、（ｃ）は図９のＣ３−Ｃ３線に沿う断面図
【図１１】ダミータイプのスイッチ装置における図２相当図
【図１２】ダミータイプのスイッチ装置における図３相当図
【図１３】（ａ）は図１２のＡ４−Ａ４線に沿う断面図、（ｂ）は図１２のＢ４−Ｂ４線に沿う断面図、（ｃ）は図１２のＣ４−Ｃ４線に沿う断面図
【発明を実施するための形態】
【０００８】
以下、本発明の一実施形態について図面を参照して説明する。
図１には、スイッチボデー１に複数種類のスイッチ装置が設けられた外観図が示されている。スイッチボデー１に設けられた複数種類のスイッチ装置のうち、例えばインフォメーション用のスイッチ装置に適用した実施形態について説明する。この場合、スイッチ装置は、後述するように、プッシュ・シーソータイプのスイッチ装置２Ａ（図１から図４参照）と、プッシュタイプのスイッチ装置２Ｂ（図５から図７参照）と、シーソータイプのスイッチ装置２Ｃ（図８から１０参照）と、ダミータイプのスイッチ装置２Ｄ（図１１から図１３参照）の４種類のタイプに変更が可能な構成となっている。以下、４種類のタイプについて順に説明する。
【０００９】
＜プッシュ・シーソータイプのスイッチ装置２Ａについて＞
まず、プッシュ・シーソータイプのスイッチ装置２Ａの構成について、図１から図４を参照して説明する。
【００１０】
プッシュ・シーソータイプのスイッチ装置２Ａとしては、この場合、スイッチボデー１と、このスイッチボデー１の裏面側に配設される配線基板３（図４参照）と、この配線基板３の上面に設けられたゴムシート４と、スイッチボデー１の上面側に設けられる操作ノブ５と、スイッチボデー１と操作ノブ５との間に配設されるプッシュ・シーソー用中間部材６と、スイッチボデー１の上面側において操作ノブ５を除いて覆うように設けられるベゼル７とを備えている。これらのうちスイッチボデー１と、操作ノブ５と、プッシュ・シーソー用中間部材６と、ベゼル７は、それぞれ合成樹脂製であり、ゴムシート４は、例えばシリコンゴム製である。配線基板３は、例えばプリント配線基板である。
【００１１】
スイッチボデー１には、スイッチ装置２Ａを設ける部位に、上面が開口した収容部９が設けられている。収容部９は、操作ノブ５の外形に沿うように、図３において上下方向に長い矩形状に形成されている。操作ノブ５は、図３において上下方向に長い矩形状に形成されている。収容部９において対向する左右両側部には、支持凸部１０（図２、図４（ａ）参照）が設けられている。収容部９の底部の所定の部位には、３個のスイッチ要素収容部１１（図４（ｃ）参照）が設けられている。３個のスイッチ要素収容部１１は、操作ノブ５の長手方向に沿って配置されている。各スイッチ要素収容部１１は、段付き筒状をなしている。また、スイッチボデー１には、図４（ｂ）に示すように、突部１ａが２箇所に設けられている。
【００１２】
配線基板３の上面に設けられたゴムシート４には、３箇所のスイッチ要素収容部１１に対応して３個のスイッチ用弾性部１２が設けられている。各スイッチ用弾性部１２は、ドーム状をなすとともに、短円柱状をなす天井部１２ａの裏面側に可動接点１３を有していて、対応するスイッチ要素収容部１１内に配置されている。配線基板３の上面には、各可動接点１３に対向する部位に位置させて固定接点（図示せず）が設けられている。可動接点１３と、これに対応する固定接点とで、それぞれスイッチ要素１４を構成している。３箇所のスイッチ要素１４のうち、中央部のスイッチ要素１４はプッシュ用で、両側の２箇所のスイッチ要素１４はシーソー用である。
【００１３】
また、３箇所のスイッチ要素収容部１１には、それぞれプッシャ１５が挿入配置されている。各プッシャ１５は、円柱状をなす柱状部の基端部に鍔部を有した形状をなしていて、鍔部の裏面が対応するスイッチ用弾性部１２の天井部１２ａの上面に当接し、柱状部の先端部がスイッチ要素収容部１１の筒部からプッシュ・シーソー用中間部材６側へ突出している。各プッシャ１５は、スイッチ要素収容部１１に柱状部の延び方向（軸方向）へ移動可能に収容されている。
【００１４】
プッシュ・シーソー用中間部材６は、収容部９内において前記スイッチボデー１と操作ノブ５との間に配置されている。このプッシュ・シーソー用中間部材６の左右両側部には、前記支持凸部１０に嵌合する嵌合孔１８（図２、図４（ａ）参照）が設けられていて、プッシュ・シーソー用中間部材６は、その支持凸部１０を中心に揺動可能に支持されている。このプッシュ・シーソー用中間部材６の裏面側の２箇所にはシーソー用押圧部１９（図４（ｃ）参照）が設けられていて、これらシーソー用押圧部１９が、対応するプッシャ１５の先端部に当接している。図４（ｂ）に示すように、プッシュ・シーソー用中間部材６の裏面とスイッチボデー１の前記突部１ａとの間には、当該プッシュ・シーソー用中間部材６の揺動を許容する隙間ｇ１が形成されている。
【００１５】
プッシュ・シーソー用中間部材６の上面側には、操作ノブ５が取り付けられている。図４（ｂ）に示すように、操作ノブ５の裏面とプッシュ・シーソー用中間部材６の上面との間には、プッシュ・シーソー用中間部材６に対して操作ノブ５の押込み操作を許容する隙間ｇ２が確保されている。操作ノブ５は、スイッチボデー１に対して、プッシュ・シーソー用中間部材６と一体的に前記支持凸部１０を中心に揺動可能で、かつ当該プッシュ・シーソー用中間部材６に対して、前記隙間ｇ２分押込み操作可能となっている。操作ノブ５の裏面には、プッシュ用押圧部２０（図４（ａ）および（ｃ）参照）が設けられていて、このプッシュ用押圧部２０が、プッシュ・シーソー用中間部材６を貫通して、対応するプッシャ１５の先端部に当接している。
【００１６】
操作ノブ５の上面部には、表示部が設けられている。表示部としては、この場合、中央部のプッシュ用表示部２１ａと、このプッシュ用表示部２１ａを挟むように設けられた２個の三角形からなるシーソー用表示部２１ｂがある。これらプッシュ用表示部２１ａおよびシーソー用表示部２１ｂは、例えばレーザー加工あるいは印刷により形成されている。
【００１７】
上記構成において、操作ノブ５を操作していない非操作状態では、３箇所の各スイッチ要素１４の可動接点１３は対応する固定接点から離間していて、３箇所のスイッチ要素１４はすべてオフ状態を呈している。
【００１８】
このオフ状態から、手指で操作ノブ５を図４の矢印Ｄ方向へ押込み操作すると、プッシュ・シーソー用中間部材６をそのままの状態にして、当該操作ノブ５が同矢印Ｄ方向へ移動する。これに伴い、プッシュ用押圧部２０が対応するプッシャ１５を押し込み、このプッシャ１５により押し込まれたスイッチ用弾性部１２の可動接点１３が対応する固定接点に接触することで、プッシュ用のスイッチ要素１４がオン状態となる。操作ノブ５に対する押込み操作が解除されると、押し込まれていたスイッチ用弾性部１２が自身の弾性復帰力で矢印Ｄとは反対方向へ復帰移動する。これに伴い、可動接点１３が固定接点から離間してスイッチ要素１４がオフ状態に切り替わるとともに、プッシャ１５を介して操作ノブ５も元の位置に復帰する。
【００１９】
上記オフ状態から、手指で操作ノブ５を図４の矢印Ｅ１方向または矢印Ｅ２方向へ揺動操作すると、操作ノブ５が、プッシュ・シーソー用中間部材６と一体的に支持凸部１０を中心に揺動する。これに伴い、シーソー用押圧部１９が、対応するプッシャ１５を押し込み、このプッシャ１５により押し込まれたスイッチ用弾性部１２の可動接点１３が対応する固定接点に接触することで、シーソー用の一方のスイッチ要素１４がオン状態となる。操作ノブ５に対する揺動操作が解除されると、押し込まれていたスイッチ用弾性部１２が自身の弾性復帰力で復帰移動する。これに伴い、可動接点１３が固定接点から離間してスイッチ要素１４がオフ状態に切り替わるとともに、プッシャ１５を介して操作ノブ５も元の位置に復帰する。
【００２０】
＜プッシュタイプのスイッチ装置２Ｂについて＞
次にプッシュタイプのスイッチ装置２Ｂについて、図５から図７を参照して説明する。このスイッチ装置２Ｂは、上記したプッシュ・シーソータイプのスイッチ装置２Ａとは次の点が異なっている。
【００２１】
図７（ｃ）に示すように、３箇所のスイッチ要素収容部１１のうち、中央部のスイッチ要素収容部１１にはプッシャ１５が配置されているが、両側の２箇所のスイッチ要素収容部１１にはプッシャ１５は配置されていない。中間部材には、プッシュ用中間部材２２が用いられている。このプッシュ用中間部材２２には、裏面側の２箇所に揺動操作規制用ストッパ２３（図７（ｂ）参照）が設けられている。これら２箇所の揺動操作規制用ストッパ２３は、スイッチボデー１に設けられた突部１ａにそれぞれ当接している。したがって、プッシュ用中間部材２２は、２箇所の揺動操作規制用ストッパ２３がスイッチボデー１の突部１ａに当接することで、揺動操作が規制されている。
【００２２】
操作ノブ５は、構造的には前記プッシュ・シーソー用の操作ノブ５と同じであるが、上面の表示部の表示が異なっている。具体的には、中央部のプッシュ用表示部２１ａはあるが、シーソー用表示部２１ｂはない。操作ノブ５の裏面とプッシュ用中間部材２２の上面との間には、操作ノブ５の押込み操作を許容する隙間ｇ２が確保されている。
【００２３】
上記構成において、図７のオフ状態から、手指により操作ノブ５を矢印Ｄ方向へ押込み操作すると、プッシュ用中間部材２２をそのままの状態にして、当該操作ノブ５が同矢印Ｄ方向へ移動する。これに伴い、プッシュ用押圧部２０が、対応するプッシャ１５を押し込み、このプッシャ１５により押し込まれたスイッチ用弾性部１２の可動接点１３が対応する固定接点に接触することで、プッシュ用のスイッチ要素１４がオン状態となる。操作ノブ５に対する押込み操作が解除されると、前述と同様に、押し込まれていたスイッチ用弾性部１２が自身の弾性復帰力で矢印Ｄとは反対方向へ復帰移動する。これに伴い、可動接点１３が固定接点から離間してスイッチ要素１４がオフ状態に切り替わるとともに、プッシャ１５を介して操作ノブ５も元の位置に復帰する。
【００２４】
一方、図７のオフ状態から操作ノブ５を手指により矢印Ｅ１方向あるいは矢印Ｅ２方向へ揺動操作しようとしても、プッシュ用中間部材２２の揺動操作規制用ストッパ２３がスイッチボデー１の突部１ａに当接していることで、プッシュ用中間部材２２の揺動操作、ひいては操作ノブ５の揺動操作が規制される。したがって、プッシュ用中間部材２２は、操作ノブ５の揺動操作を規制する状態で、操作ノブ５の押込み操作を許容している。
【００２５】
＜シーソータイプのスイッチ装置２Ｃについて＞
次にシーソータイプのスイッチ装置２Ｃについて、図８から図１０を参照して説明する。このスイッチ装置２Ｃは、上記したプッシュ・シーソータイプのスイッチ装置２Ａ、およびプッシュタイプのスイッチ装置２Ｂとは次の点が異なっている。
【００２６】
図１０（ｃ）に示すように、３箇所のスイッチ要素収容部１１のうち、両側の２箇所のスイッチ要素収容部１１にはプッシャ１５が配置されているが、中央部のスイッチ要素収容部１１にはプッシャ１５が配置されていない。中間部材には、シーソー用中間部材２６が用いられている。このシーソー用中間部材２６には、上面に押込み操作規制用ストッパ２７（図８、図１０（ｂ）参照）が設けられている。このシーソー用中間部材２６には前記揺動操作規制用ストッパ２３は設けられておらず、シーソー用中間部材２６の裏面とスイッチボデー１の突部１ａとの間には隙間ｇ１が確保されている。
【００２７】
操作ノブ５は、構造的には前記プッシュ・シーソー用の操作ノブ５と同じであるが、上面の表示部の表示が異なっている。具体的には、シーソー用表示部２１ｂはあるが、中央部のプッシュ用表示部２１ａはない。操作ノブ５を装着した状態では、図１０（ｂ）に示すように、操作ノブ５の裏面が、前記押込み操作規制用ストッパ２７の上端部に当接している。したがって、この場合、操作ノブ５は、シーソー用中間部材２６と一体的に揺動操作は可能であるが、シーソー用中間部材２６に対する押込み操作は規制されている。
【００２８】
上記構成において、図１０のオフ状態から、手指により操作ノブ５を矢印Ｅ１方向または矢印Ｅ２方向へ揺動操作すると、操作ノブ５が、シーソー用中間部材２６と一体的に支持凸部１０を中心に揺動する。これに伴い、シーソー用押圧部１９が、対応するプッシャ１５を押し込み、このプッシャ１５により押し込まれたスイッチ用弾性部１２の可動接点１３が対応する固定接点に接触することで、シーソー用の一方のスイッチ要素１４がオン状態となる。操作ノブ５に対する揺動操作が解除されると、押し込まれていたスイッチ用弾性部１２が自身の弾性復帰力で復帰移動する。これに伴い、可動接点１３が固定接点から離間してスイッチ要素１４がオフ状態に切り替わるとともに、プッシャ１５を介して操作ノブ５も元の位置に復帰する。
【００２９】
一方、図１０のオフ状態から、手指により操作ノブ５を押込み操作しようとしても、当該操作ノブ５の裏面がシーソー用中間部材２６の押込み操作規制用ストッパ２７に当たることで、操作ノブ５の押込み操作が規制される。したがって、シーソー用中間部材２６は、操作ノブ５の押込み操作を規制する状態で、操作ノブ５の揺動操作を許容している。
【００３０】
＜ダミータイプのスイッチ装置２Ｄについて＞
次にダミータイプのスイッチ装置２Ｄについて、図１１から図１３を参照して説明する。このスイッチ装置２Ｄは、上記した３種のスイッチ装置２Ａ，２Ｂ，２Ｃとは次の点が異なっている。
【００３１】
図１３（ｃ）に示すように、３箇所のスイッチ要素収容部１１には、いずれもプッシャ１５は配置されていない。中間部材には、ダミー用中間部材３０が用いられている。このダミー用中間部材３０には、裏面側の２箇所に揺動操作規制用ストッパ２３（図１３（ｂ）参照）が設けられ、上面側に押込み操作規制用ストッパ２７（図１１、図１３（ｂ）参照）が設けられている。２箇所の揺動操作規制用ストッパ２３は、スイッチボデー１に設けられた突部１ａに当接している。また、操作ノブ５を装着した状態では、図１３（ｂ）に示すように、操作ノブ５の裏面が、前記押込み操作規制用ストッパ２７の上端部に当接している。
【００３２】
操作ノブ５は、構造的には前記プッシュ・シーソー用の操作ノブ５と同じであるが、上面には表示部は設けられていない。したがって、この場合、操作ノブ５は、ダミー用中間部材３０の揺動操作規制用ストッパ２３および押込み操作規制用ストッパ２７により揺動操作も押込み操作も規制されている。
【００３３】
上記した実施形態によれば、次のような作用効果を得ることができる。例えばプッシュタイプのスイッチ装置２Ｂからシーソータイプのスイッチ装置２Ｃに変更する場合、または逆の場合には、中間部材であるプッシュ用中間部材２２とシーソー用中間部材２６を入れ替えることで対応できる。この場合、プッシュ用の操作ノブ５とシーソー用の操作ノブ５も入れ替える必要があるが、これらプッシュ用の操作ノブ５とシーソー用の操作ノブ５は、構造は同じで、表面の表示部の表示が異なっているのみである。その表示部は、例えばレーザー加工あるいは印刷で形成することができるので、プッシュ用の操作ノブ５とシーソー用の操作ノブ５は、同じ成形型で形成することができる。スイッチボデー１は変更する必要はない。この場合、プッシュタイプとシーソータイプでプッシャ１５の位置や個数を変えているが、必ずしも変える必要はなく、プッシャ１５は、少なくとも用途に対応する位置に設ければよい。
【００３４】
したがって、プッシュタイプとシーソータイプとの間でタイプを変更する場合には、基本的には中間部材であるプッシュ用中間部材２２とシーソー用中間部材２６を入れ替えることで対応することができる。このため、スイッチボデー１および操作ノブ５の構造を変える必要がないので、それらの成形型を新しく製造する必要もなく、部品の変更を極力少なくできて、タイプの変更に早期に対応することが可能となる。
【００３５】
また、上記した実施形態によれば、ダミー用中間部材３０を用いることで、ダミータイプにも容易に変更することができる。この場合も、ダミー用の操作ノブ５を入れ替える必要があるが、このダミー用の操作ノブ５も、プッシュ用およびシーソー用の操作ノブ５と構造は同じで、表面の表示部がない点が違うだけである。このため、操作ノブ５は、プッシュ用およびシーソー用の操作ノブ５と同じ成形型で形成することができる。
【００３６】
さらに、本実施形態によれば、プッシュ・シーソー用中間部材６を用いることで、プッシュ・シーソータイプにも容易に変更することができる。
本発明は上記した実施形態にのみ限られず、発明の要旨を逸脱しない範囲内で、種々の変形が可能である。
【符号の説明】
【００３７】
図面中、１はスイッチボデー、２Ａはプッシュ・シーソータイプのスイッチ装置、２Ｂはプッシュタイプのスイッチ装置、２Ｃはシーソータイプのスイッチ装置、２Ｄはダミータイプのスイッチ装置、３は配線基板、４はゴムシート、５は操作ノブ、６はプッシュ・シーソー用中間部材、１０は支持凸部、１１はスイッチ要素収容部、１２はスイッチ用弾性部、１３は可動接点、１４はスイッチ要素、１５はプッシャ、１９はシーソー用押圧部、２０はプッシュ用押圧部、２１ａはプッシュ用表示部、２１ｂはシーソー用表示部、２２はプッシュ用中間部材、２３は揺動操作規制用ストッパ、２６はシーソー用中間部材、２７は押込み操作規制用ストッパ、３０はダミー用中間部材を示す。
【図１】
2015115269.tif 000003
【図２】
2015115269.tif 000004
【図３】
2015115269.tif 000005
【図４】
2015115269.tif 000006
【図５】
2015115269.tif 000007
【図６】
2015115269.tif 000008
【図７】
2015115269.tif 000009
【図８】
2015115269.tif 000010
【図９】
2015115269.tif 000011
【図１０】
2015115269.tif 000012
【図１１】
2015115269.tif 000013
【図１２】
2015115269.tif 000014
【図１３】
2015115269.tif 000015